(57)【要約】【課題】従来は、セキュア通信を実現するために必要な設定作業が煩雑であるにもかかわらず、ユーザの認証は困難であった。【解決手段】インターネット接続端末であって、音声通信を行うための音声通信手段と、ユーザーから情報の設定を受け付ける受付手段と、前記音声通信中に前記受付手段により受け付けた情報に基づいて、前記音声通信の相手方端末との間において、セキュアな通信路を設定する設定手段と、前記セキュアな通信路で前記相手方端末との間でデータ通信を行う通信手段とを備える。【選択図】図１
2005045403.tif 000002
【特許請求の範囲】
【請求項１】
インターネット接続端末であって、
音声通信を行うための音声通信手段と、
ユーザーから情報の設定を受け付ける受付手段と、
前記音声通信中に前記受付手段により受け付けた情報に基づいて、前記音声通信の相手方端末との間において、セキュアな通信路を設定する設定手段と、
前記セキュアな通信路で前記相手方端末との間でデータ通信を行う通信手段とを備えることを特徴とするインターネット接続端末。
【請求項２】
前記設定手段は、前記受付手段により受け付けた情報に基づいて、セキュアな通信のための鍵を生成することを特徴とする請求項１に記載のインターネット接続端末。
【請求項３】
前記設定手段は、前記セキュアな通信路の設定の成功又は失敗を判定する判定手段と、
前記判定手段において前記設定が失敗したと判定された場合に、前記ユーザーから受け付ける情報の再度の入力要求を通知する通知手段を更に備えることを特徴とする請求項１に記載のインターネット接続端末。
【請求項４】
インターネット接続端末の制御方法であって、
音声通信を行う音声通信工程と、
ユーザーから情報の設定を受け付ける受付工程と、
前記音声通信中に前記受付工程で受け付けた情報に基づいて、前記音声通信の相手方端末との間において、セキュアな通信路を設定する設定工程と、
前記セキュアな通信路で前記相手方端末との間でデータ通信を行う通信工程とを備えることを特徴とするインターネット接続端末の制御方法。
【請求項５】
前記設定工程では、前記受付工程で受け付けた情報に基づいて、セキュアな通信のための鍵を生成することを特徴とする請求項４に記載のインターネット接続端末の制御方法。
【請求項６】
前記設定工程では、
前記セキュアな通信路の設定の成功又は失敗を判定する判定工程と、
前記判定工程において前記設定が失敗したと判定された場合に、前記ユーザーから受け付ける情報の再度の入力要求を通知する通知工程を更に備えることを特徴とする請求項４に記載のインターネット接続端末の制御方法。
【請求項７】
請求項４乃至６のいずれかに記載のインターネット接続端末の制御方法をコンピュータに実行させるためのインターネット接続端末の制御プログラム。
【請求項８】
請求項７に記載のインターネット接続端末の制御プログラムを記憶したコンピュータで読みとり可能な記憶媒体。
【発明の詳細な説明】
【０００１】
【発明の属する技術分野】
インターネットを介した音声通信において、セキュアな通信を提供するマルチメディアデータ通信型インターネット接続端末、及びその制御方法、プログラム及び記憶媒体に関する。
【０００２】
【従来の技術】
ＩＰｓｅｃを利用したデータ通信を行う二つの端末では、認証・暗号化の鍵が必要である。アドホックに二つの端末間で、インターネットを介して鍵を交換する技術がＩＫＥ（Ｔｈｅ  Ｉｎｔｅｒｎｅｔ  Ｋｅｙ  Ｅｘｃｈａｎｇｅ）である（例えば、特許文献１参照。）。このＩＫＥでは、通信相手の認証としてＰＫＩ（公開鍵管理システム）やｐｒｅ−ｓｈａｒｅｄ  ｋｅｙなどが利用される。しかし、ＩＫＥは、処理が重いためにサーバやＰＣでの利用が主となっており、インターネット接続が可能な電話機やファクシミリ装置などには不向きである。また、ＰＫＩ証明書の取得やｐｒｅ−ｓｈａｒｅｄ  ｋｅｙの事前設定には煩雑な作業が要求されるために、一般家庭への導入の障害となっている。
【０００３】
従って、特定のサーバやゲートウェイを介さずに、一般のユーザ同士で容易にインターネットを介したＩＰｓｅｃ通信を実現しようしても、各ユーザがＰＫＩ証明書を持つことは一般的ではないのが現状である。またアドホックにセキュア通信を実現するためにｐｒｅ−ｓｈａｒｅｄ  ｋｅｙを設定する作業は煩雑であり、機器の認証は比較的容易だが、ユーザの認証は困難（例えば、出先端末から社内へ重要データをセキュア通信で送信する場合は現状では実現困難）である。
【０００４】
【特許文献１】
特開２００２−３４４４３８号公報
【０００５】
【発明が解決しようとする課題】
このように、従来は、一般のユーザ同士で容易にインターネットを介したＩＰｓｅｃ通信を実現することができなかった。また、セキュア通信を実現するために必要な設定作業が煩雑であるにもかかわらず、ユーザの認証は困難であった。
【０００６】
そこで、本発明は、セキュア通信を実現するために必要な設定作業の煩雑化を回避し、かつ、容易にユーザの認証を可能とすることを目的とする。
【０００７】
【課題を解決するための手段】
上記課題を解決するために、本発明は、インターネット接続端末であって、音声通信を行うための音声通信手段と、ユーザーから情報の設定を受け付ける受付手段と、前記音声通信中に前記受付手段により受け付けた情報に基づいて、前記音声通信の相手方端末との間において、セキュアな通信路を設定する設定手段と、前記セキュアな通信路で前記相手方端末との間でデータ通信を行う通信手段とを備える。
【０００８】
【発明の実施の形態】
以下、図面を参照して本発明の実施形態を詳細に説明する。
【０００９】
図１は本発明の実施形態のネットワークの構成図である。図１において１０１はユーザＡのネットワークである。１０２はユーザＢのネットワークである。ユーザＡネットワーク１０１とユーザＢネットワーク１０２とは１０３のＩＰｖ６インターネットを介してＩＰｖ６通信プロトコルを利用してデータ通信が可能である。
【００１０】
ユーザＡネットワーク１０１には１０４のインターネット電話端末が接続している。また、ユーザＢネットワーク１０２には１０５のインターネット電話端末が接続している。ユーザＡのインターネット電話端末１０４とユーザＢのインターネット電話端末１０５とは、ＩＰｖ６インターネット１０３を介して電話通信機能（相手端末の呼び出しとセッション確立、また、音声のＩＰパケット通信等）を実現できる。インターネット電話端末１０４、１０５には、それぞれハードディスクが搭載されている。
【００１１】
本実施形態においては、インターネット電話端末１０４のように、ユーザーが利用する端末を、説明の簡単のためにインターネット電話端末として説明するが、このことは一般的な電話端末としての形態を有することを必ずしも要求するものではない。即ち、本実施形態における「インターネット電話端末」は、例えば、パーソナルコンピュータや携帯情報端末（ＰＤＡ）等のように、音声通信が可能であって、下記に詳細に記載する本発明が適用可能な端末であれば、その全てを含む概念として記載されるものである。
【００１２】
図２は、本実施形態での機能を実現するソフトウェアプログラムを動作させる、インターネット接続端末のハードウェア構成の一例を示したものである。インターネット接続端末１０４は、ＣＰＵ２０１と、ＲＯＭ２０２と、ＲＡＭ２０３と、ハードディスク（ＨＤ）２０７及びフロッピー（登録商標）ディスク（ＦＤ）２０８のディスクコントローラ（ＤＣ）２０５と、ネットワークインタフェースカード（ＮＩＣ）２０６とが、システムバス２０４を介して互いに通信可能に接続された構成としている。
【００１３】
そして、システムバス２０４が、上記図１に示したネットワーク１０１とネットワークインタフェースカード２０６を介して接続される。ＣＰＵ２０１は、ＲＯＭ２０２あるいはＨＤ２０７に記憶されたソフトウェア、あるいはＦＤ２０８より供給されるソフトウェアを実行することで、システムバス２０４に接続された各構成部を統括的に制御する。
【００１４】
すなわち、ＣＰＵ２０１は、本実施形態にて説明する処理シーケンスに従った処理プログラムを、ＲＯＭ２０２、あるいはＨＤ２０８、あるいはＦＤ２０９から読み出して実行することで、本実施形態での動作を実現するための制御を行う。ＲＡＭ２０３は、ＣＰＵ２０１の主メモリあるいはワークエリア等として機能する。
【００１５】
ＤＣ２０５は、ブートプログラム、種々のアプリケーション、編集ファイル、ユーザファイル、ネットワーク管理プログラム、および本実施形態における上記処理プログラム等を記憶するＨＤ２０８、およびＦＤ２０９とのアクセスを制御する。音声入出力部２０６は、マイク及びスピーカにより構成され、通話を行うための音声の入出力を行う。ＮＩＣ２０７は、ネットワーク１０１を通じてＩＰｖ６インターネット１０３と、ＩＰｖ６通信プロトコルを用いて相互にデータのやり取りをする。
【００１６】
図３はユーザＡが所有するインターネット電話端末１０４の内部モジュール構成図である。なお、ユーザＢが所有するインターネット電話端末１０５の内部モジュールも同様の構成を採ることができる。
【００１７】
３０１は情報管理モジュールであり、インターネット電話端末１０４が現在保持している各種情報（ステータスなど）を管理している。例えば、インターネット電話端末１０４がインターネット電話端末１０５と通話中の場合、情報管理モジュール３０１では、通話中の相手のＩＰアドレスや、現状の通話ステータス（呼び出し中、通話中、切断処理中など）の情報が管理される。
【００１８】
３０２はセキュリティ設定パネルであり、インターネット電話端末１０４に設置された各種ボタンからのセキュリティ設定やセキュリティ通信に関するユーザ操作を受理・処理し、それらの結果をインターネット電話端末１０４のインタフェースに表示する処理を行う。
【００１９】
例えば、インターネット電話端末１０４のインタフェースに「ＩＰｓｅｃ利用」ボタンと数桁の英数字を表示するディスプレイを設置し、「ＩＰｓｅｃ利用」ボタンを押すことで、現在通話中の相手のインターネット電話端末とＩＰｓｅｃの設定処理を開始する。このＩＰｓｅｃ設定処理における結果はディスプレイに表示される。
【００２０】
３０３はＩＰｓｅｃを利用して送信したいデータを蓄積するハードディスクである。３０４はＩＰｓｅｃ設定モジュールであり、セキュリティ設定パネル３０２よりＩＰｓｅｃの設定処理の依頼を受理し、ＩＰｓｅｃ通信を行うようにカーネルに対して設定を行うモジュールである。また、セキュリティ設定パネル３０２や通常の電話機能よりＩＰｓｅｃ通信の終了処理の依頼を受理し、ＩＰｓｅｃ通信の設定を解除する機能も合わせて持つ。
【００２１】
３０５は通信モジュールであり、インターネット電話端末１０４の全通信を行うＩＰｖ６プロトコルスタックを保持している。この通信モジュール３０５に対し、ＩＰｓｅｃ設定モジュール３０４はＩＰｓｅｃの設定を行うこととなる。また、通信モジュール３０５では自己のネットワークインタフェースのＩＰｖ６アドレス情報や、インターネット電話端末１０４と通話中のインターネット電話端末のＩＰｖ６アドレス情報を３０１に通知する機能も保持している。
【００２２】
図４はユーザＡのインターネット電話端末１０４よりユーザＢのインターネット電話端末１０５に対して通話を行い、その際にユーザＡがユーザＢに対して電子データをＩＰｓｅｃを利用したセキュアな通信路によって送信する場合の、ユーザＡ側のインターネット電話端末１０４の処理のフローチャートである。本実施形態におけるこの処理の説明では、ユーザＡとユーザＢはどちらかからの呼び出しによってインターネット電話端末１０４とインターネット電話端末１０５を利用し、通話中であることを前提している。
【００２３】
Ｓ４０１では、ＩＰｓｅｃ利用開始をユーザＡからの指示に基づいて検知する。ユーザＡからの指示は、本実施形態においては３０２のセキュリティ設定パネルの操作により行われるものであり、図４のフローチャートに基づく処理を開始するきっかけとなる。Ｓ４０１においてユーザＡからの開始指示を検知すると、Ｓ４０２にてユーザＡからのセキュリティコードを受け付ける。
【００２４】
「セキュリティコード」とは、インターネット電話端末１０４とインターネット電話端末１０５でＩＰｓｅｃ通信を行うための鍵情報の素となるコードであり、例えば、「＃＊４３６＃３６」のように設定される。ユーザはインターネット電話端末のインタフェースであるセキュリティ設定パネル３０２中の数字ボタンと「＃」ボタン、「＊」ボタンから入力することができる。
【００２５】
ここで入力されるセキュリティコードは、ＩＰｓｅｃを利用する両装置で同一でなければならないが、ＩＰｓｅｃの利用開始前の通話においてユーザＡとユーザＢとの間で事前にセキュリティコードを決定することができるので、各ユーザへ特筆すべき負担がかかることはない。セキュリティコードがセキュリティ設定パネル３０２を用いて行われると、ＩＰｓｅｃ設定モジュール３０４にその内容が通知される。
【００２６】
セキュリティコードの受付が完了すると、ＩＰｓｅｃ設定のための情報収集として、Ｓ４０３にて、現在インターネット電話端末１０４が通話中である通信相手（本実施形態ではユーザＢ）のインターネット電話端末１０５のＩＰｖ６アドレスが取得される。つまり、情報管理モジュール３０１内で保持されている通話中の相手のＩＰｖ６アドレスが、ＩＰｓｅｃ設定モジュール３０４に通知される。
【００２７】
続いて、Ｓ４０４にてＩＰｓｅｃで利用する認証・暗号化のアルゴリズムやお互いのＩＰアドレス、ポート番号をインターネット電話端末１０４とインターネット電話端末１０５にて折衝する。このＩＰｓｅｃ設定折衝は、二つのインターネット電話端末のＩＰｓｅｃ設定モジュール３０４同士が通信を行うことにより実行される。
【００２８】
Ｓ４０４における処理の終了時点で、インターネット電話端末１０４のＩＰｓｅｃ設定モジュール３０４には、自己のＩＰｖ６アドレスと通信ポート、通信相手のＩＰｖ６アドレスと通信ポート、利用する認証・暗号化アルゴリズム、その認証・暗号化にて利用する鍵情報の素（Ｓ４０２で入力されたセキュリティコード）、の各情報が揃っている。
【００２９】
これらの情報からＳ４０５においてインターネット電話端末１０５とのＩＰｓｅｃ通信の設定を行う。この設定は前記ＩＰｓｅｃ設定モジュール３０４によって行われ、３０５のＩＰｖ６スタック（カーネル）に反映される。なお、このＳ４０５処理において、鍵の生成が必要となるが、その生成方法の一例としては、鍵情報の素（セキュリティコード）にハッシュをかける方法が考えられる。
【００３０】
ＩＰｓｅｃの設定がとりあえず終了すると、Ｓ４０６において設定内容の確認が行われる。この確認において、ＩＰｓｅｃ設定に失敗しており、インターネット電話端末１０４とインターネット電話端末１０５のＩＰｓｅｃ通信が行えない場合は、Ｓ４１０のエラー処理に進む。一方、ＩＰｓｅｃの設定が成功した場合（ＩＰｓｅｃ設定の完了）、Ｓ４０７のデータ転送処理に進む。
【００３１】
このデータ転送処理は、ユーザＡがユーザＢに対してある電子データ（例えば、文書データや画像データなど。）を設定されたＩＰｓｅｃを利用したセキュアな通信路にてデータ送信する処理である。データ転送処理を行う場合には、ユーザ（本実施形態では、ユーザＡ）は送信したい電子データをあらかじめインターネット電話端末１０４内部のハードディスク３０３に格納しておく。これにより、ハードディスク３０３に格納された電子データであれば、セキュアな通信路を介して送信することが可能となる。
【００３２】
Ｓ４０７では、セキュリティ設定パネル３０２を介したユーザＡからのデータ送信指示に基づいてデータ転送処理が実行される。ここでは、ハードディスク３０３内のデータが通信モジュール３０５を介して通信相手であるインターネット電話端末１０５に送信される。送信対象の電子データはＩＰｓｅｃ設定が行われているので、通信モジュール３０５は、暗号化を行なった上で送信処理を実行する。よって、ＩＰｖ６インターネット１０３上では、送信された電子データの閲覧を効果的に防止することができる。
【００３３】
Ｓ４０８では、上記のＩＰｓｅｃによるデータ転送処理が正常に完了したかどうかを判定し、正常に終了した場合には、正常終了処理Ｓ４０９に進む。一方、データ転送処理が完了できない場合にはＳ４１０のエラー処理に進む。Ｓ４０９の正常終了処理では、セキュリティ設定パネル３０２からのＩＰｓｅｃ終了の指示や、情報管理モジュール３０１での通話終了のイベントなどをきっかけとして、ＩＰｓｅｃ設定解除の依頼をＩＰｓｅｃ設定モジュール３０４に対して通知し、インターネット電話端末１０４とインターネット電話端末１０５間に設定されたＩＰｓｅｃ通信路を解除する。
【００３４】
Ｓ４１０では、セキュリティ設定パネル３０２においてエラーの内容をディスプレイに表示する。そして、Ｓ４１１にて、それまでの設定内容を解除する処理が実行され、ステップＳ４０２に戻って再度セキュリティコードを受け付ける。その際、再度のセキュリティコードの入力を促す表示をセキュリティ設定パネル３０２に表示する。
【００３５】
Ｓ４１０においてエラー表示を行うのは、Ｓ４０６またはＳ４０８における処理が完了しなかった場合である。
【００３６】
まずＳ４０６の場合は、ＩＰｓｅｃ設定が失敗しインターネット電話端末１０４とインターネット電話端末１０５のＩＰｓｅｃ通信が行えない場合などが考えられる。例えば、Ｓ４０６におけるＩＰｓｅｃ設定内容の確認処理において、通信相手（相手方端末であるインターネット電話端末Ｂ）からのＩＰｓｅｃパケットを受信したが、その復号化が行えない場合などである。このような復号化エラーによってＳ４１０に処理が移った場合は、ディスプレイに「入力コードエラー」を表示する。
【００３７】
また、別の例として、ＩＰｓｅｃ設定直後より通信相手（インターネット電話端末Ｂ）よりパケット自体が到達しない場合がある。この際には「応答なし」を表示する。
【００３８】
Ｓ４０８の場合は、例えば、ユーザＡとユーザＢがそれぞれ設定したセキュリティコードの値が違っている場合などが原因でデータ転送処理が完了しないことが考えられる。
【００３９】
図５は、情報管理モジュール３０１の内部データの一例を示す図である。この図５では、５０１はインターネット電話端末１０４の情報管理モジュール４０１内のデータを、５０２はインターネット電話端末１０５の情報管理モジュール４０１内のデータを示しており、特に、インターネット電話端末１０４とインターネット電話端末１０５とが通話状態にある場合の各情報管理モジュール４０１内のデータを示している。
【００４０】
５０１及び５０２は、それぞれ自己のＩＰｖ６アドレス（５０３、５０７）と自己のＩＰｓｅｃアルゴリズムのリスト（５０４、５０８）を保持している。そして、通話相手のＩＰｖ６アドレス（５０５、５０９）と現在の状態（５０６、５１０）がそれぞれのインターネット電話端末内の情報管理モジュール４０１で保持されている。
【００４１】
図６では先の図４に示したＩＰｓｅｃを利用した処理のフローチャートに対応するインターネット電話端末１０４とインターネット電話端末１０５との間で実行される通信のシーケンスを示す。
【００４２】
まず、６０１と６０２においてインターネット電話端末１０４とインターネット電話端末１０５との間の通話が開始される。この通話中に６０３において、ユーザＡからのＩＰｓｅｃ利用のための操作（例えば、図４のＳ４０１及びＳ４０２に対応して、インターネット電話端末１０４のインタフェースに設置された「ＩＰｓｅｃ利用」ボタンを押す操作と、セキュリティコードを入力する操作）が行われる。
【００４３】
この処理とほぼ同時に、ユーザＢにおいても同様にＩＰｓｅｃ利用のための操作が６０４にて行われる。ここで両者（ユーザＡとユーザＢ）が入力するセキュリティコードは同一の値である必要がある。また、このＩＰｓｅｃ利用に関する同調作業はインターネット電話の通話にて両者（ユーザＡとユーザＢ）が了承し、互いに実行する。
【００４４】
このように、本実施形態においては、インターネット電話１０４とインターネット電話１０５との間で当該作業をユーザーに促すため通信は基本的に不要である。ただし、一方のユーザ（例えば、ユーザＡ）がＩＰｓｅｃ利用ボタンを押す操作に応じて、他方のユーザー（例えば、ユーザＢ）に対して、当該ボタンが相手方において操作された旨を音声や表示により通知することを排除するものではない。
【００４５】
以上のＩＰｓｅｃ利用ボタンの操作及びセキュリティコード入力により、両インターネット電話端末（１０４、１０５）においてＩＰｓｅｃ設定の処理が実行される。まず、６０５においてＩＰｓｅｃ設定に関する折衝が行われる。これは図４のＳ４０４におけるＩＰｓｅｃ設定のための認証・暗号化のアルゴリズムの決定に対応する処理である。６０５での設定に関する折衝が完了すると、両インターネット電話端末（１０４、１０５）はＳ４０５に対応するＩＰｓｅｃ設定処理に入り、ＩＰｓｅｃを利用したセキュアな通信路を確立する。
【００４６】
次に、６０６においてユーザＡは事前にインターネット電話端末１０４内部のハードディスク３０３に保持していた電子データをユーザＢに送るべく、データ送信開始の操作を行う。この操作を受け、６０８においてデータ送信が行われる。このデータ送信開始の操作は、例えば、ユーザＡにより、インターネット電話端末のインタフェースに設置された「データ送信」ボタンを押す操作が行われ、それに応じてインターネット電話端末１０４の表示部にハードディスク３０３に格納された電子データのリストが表示され、選択ボタンにより送信すべきデータが選択された後決定ボタンが操作されることにより、実行される。
【００４７】
なお、６０８のデータ送信では上記ＩＰｓｅｃ通信路を利用したセキュアなデータ通信が行われる。６０９、６１０において、６０８でのデータ送信の結果が両者（ユーザＡとユーザＢ）に通知される（例えば、インターネット電話端末（１０４、１０５）の表示部にデータ送信完了のメッセージを表示する）。
【００４８】
両者（ユーザＡとユーザＢ）は目的のデータ通信を完了したことを確認し、６１１、６１２においてインターネット電話の通話を切断する（例えば、通話切断ボタンを操作することによって行う。）。この切断処理において、ＩＰｓｅｃ設定に関しても両端末（インターネット電話端末１０４とインターネット電話端末１０５）の設定解除が行われる。
【００４９】
このように、インターネット電話を利用すれば、ＩＰｓｅｃ利用のための煩雑な設定作業を回避して一般のユーザ同士で容易にインターネットを介したＩＰｓｅｃ通信を可能とし、また、電子技術的な認証によらず、ユーザ間の音声を介した直接的な通信による人的な認証が可能という電話の特性を利用して容易にユーザの認証を行うことができる。
【００５０】
さらに、本実施形態に対応する本発明によれば、一般ユーザの使い慣れた電話でのセキュアな通信を実現することが可能となり、ＩＰｓｅｃ通信のための事前設定は開始ボタンと数桁のセキュリティコードの入力のみで実現できる。また、場所や端末に依存せず、利用者同士の認証によるＩＰｓｅｃ通信が可能となり、例えば外出先から社内に重要データを送信することなどが容易に実現できる。
【００５１】
本発明が適用される範囲は、通信プロトコルはＩＰｖ６通信プロトコルの利用に限定されない。また、インターネット電話端末はその接続形態がＩＰ接続であればよく、固定型電話でも携帯型電話でもかまわない。また、「電話」の名称にこだわることなく、電話としての機能を果たす端末、即ち、音声をインターネットを介して相手方端末と通信可能な端末であれば、その全てについて適用することができる。
【００５２】
さらに、インターネット電話端末内の電子データの格納場所が、ハードディスクに限定されことはない。つまり、インターネット電話端末に直接接続した電子データを保持した記録媒体や機器などから電子データの取得が可能ならば同一の仕組みで機能可能である。インターネット電話端末のインタフェースに関して、「ＩＰｓｅｃ利用」ボタンや「データ送信」ボタンが物理的なスイッチでも、論理的なスイッチでもかまわない。また、名称の同一性を問うものではない。
【００５３】
【発明の効果】
以上のように、本発明によれば、セキュア通信を実現するために必要な設定作業の煩雑化を回避し、かつ、音声通信により容易にユーザの認証を可能とする。
【図面の簡単な説明】
【図１】本発明の実施形態に対応するネットワークの構成の一例を示す図である。
【図２】本発明の実施形態に対応するインターネット接続端末のハードウェア構成の一例を示す図である。
【図３】本発明の実施形態に対応するインターネット接続端末の内部モジュール構成の一例を示す図である。
【図４】本発明の実施形態に対応する処理の一例のフローチャートである。
【図５】本発明の実施形態に対応する情報管理モジュール３０１の内部データの一例を示す図である。
【図６】本発明の実施形態に対応する通信のシーケンスの一例を示す。
【図１】
2005045403.tif 000003
【図２】
2005045403.tif 000004
【図３】
2005045403.tif 000005
【図４】
2005045403.tif 000006
【図５】
2005045403.tif 000007
【図６】
2005045403.tif 000008